(57)【要約】【課題】コンパクト性やデザイン性と、外部の環境値の正確な測定とを両立することのできる通信装置を提供する。【解決手段】通信機器の一例である電話機１は、通信装置および制御装置を格納するためのキャビネット２と、キャビネット２の外面を経て外部へ延伸し、環境値の測定用のセンサ６Ａを制御装置に電気的に接続するためのケーブル５とを有する。ケーブルは折り曲げられることでセンサ６Ａがキャビネット２の外面から外部方向に離れた位置にある状態である第１の状態（５−１）と、キャビネット２に対して第１の状態よりも近い位置にある状態である第２の状態（５−２）とに切り替え可能である。【選択図】図５
2015008386.tif 000002
【特許請求の範囲】
【請求項１】
底面が平面である、通信装置および制御装置を格納するためのキャビネットと、
前記キャビネットの外面を経て外部へ延伸し、環境値の測定用のセンサを前記制御装置に電気的に接続するためのケーブルとを備え、
前記ケーブルは折り曲げられることで前記センサの前記キャビネットに対する位置を、前記キャビネットの外面から外部方向に離れた位置である第１の状態と、前記キャビネットに対して前記第１の状態よりも近い位置である第２の状態とに切り替え可能である、通信機器。
【請求項２】
前記キャビネットの底面には、少なくとも前記センサを覆うセンサヘッドの径よりも深い第１の凹部が設けられ、
前記第２の状態は、前記センサヘッドを前記キャビネットの底面に設けられた前記第１の凹部に格納した状態である、請求項１に記載の通信機器。
【請求項３】
前記キャビネットの底面には、少なくとも前記ケーブルの径よりも深い第２の凹部が設けられ、前記第２の状態は、さらに前記ケーブルを前記キャビネットの底面に設けられた前記第２の凹部に格納した状態である、請求項２に記載の通信機器。
【請求項４】
前記第２の凹部には、前記ケーブルを把持し、前記第２の凹部への格納状態を維持するための把持部が設けられる、請求項３に記載の通信機器。
【請求項５】
前記キャビネットの前記ケーブルが外部に向けて延伸する方向に向く面の前記底面との境界位置に、前記ケーブルが延在可能な孔が設けられる、請求項３または４に記載の通信機器。
【発明の詳細な説明】
【技術分野】
【０００１】
この発明は通信機器に関し、特に、環境値を測定可能な通信機器に関する。
【背景技術】
【０００２】
電子機器に温度計などの環境値を測定するためのセンサを搭載する場合、センサは、機器のキャビネット内部、またはキャビネット外面に密着する位置に配置されることが一般的である。
【先行技術文献】
【特許文献】
【０００３】
【特許文献１】特開平９−１７３３０４号公報
【発明の概要】
【発明が解決しようとする課題】
【０００４】
しかしながら、測定対象が電子機器外部の室内の環境値である場合、キャビネット内部またはキャビネット外面に密着する位置にセンサが配置されていると正確に測定できないこともある。たとえば、上記電子機器が電話やファクシミリ送受信機などの発熱する構成（たとえばＣＰＵ（Central  Processing  Unit））を含んだ通信機器であった場合、キャビネット内部に熱がこもるため実際の室温よりも（２℃〜４℃程度）高く測定されてしまう。また、キャビネット内部に湿気もこもるため実際の室内湿度よりも高く測定される可能性が高い。また、環境値が照度である場合、実際の照度よりも低く測定される可能性が高い。
【０００５】
発明者らは温度や湿度の測定に関して、機器に放熱孔や放熱シートを施してその効果を検証したが、機器内から機器外への気流を発生させる手段がないと大きな効果が得られないことがわかった。そのため、機器外の環境値を正確に測定するためには、センサを機器外に設置する構成が必要となる。機器外にセンサを設置する方法としては、アンテナ部など機器から突起した部分にセンサを配置したり、機器外に向けて突起を形成して該突起部分にセンサを設置したりすることが考えられる。
【０００６】
しかしながら、一方で、電子機器が電話機など目に触れる場所で使用されるものである場合、コンパクト性、デザイン性が重視される。そのため、上記のような形状とすると、大型化したり、デザイン性を損なったりしてしまう。
【０００７】
本発明はこのような問題に鑑みてなされたものであって、コンパクト性、デザイン性と、外部の環境値の正確な測定とを両立することのできる通信機器を提供することを目的としている。
【課題を解決するための手段】
【０００８】
上記目的を達成するために、本発明のある局面に従うと、通信機器は、底面が平面である、通信装置および制御装置を格納するためのキャビネットと、キャビネットの外面を経て外部へ延伸し、環境値の測定用のセンサを制御装置に電気的に接続するためのケーブルとを備える。ケーブルは折り曲げられることでセンサのキャビネットに対する位置を、キャビネットの外面から外部方向に離れた位置である第１の状態と、キャビネットに対して第１の状態よりも近い位置である第２の状態とに切り替え可能である。
【０００９】
好ましくは、キャビネットの底面には、少なくともセンサを覆うセンサヘッドの径よりも深い第１の凹部が設けられ、第２の状態は、センサヘッドをキャビネットの底面に設けられた第１の凹部に格納した状態である。
【００１０】
より好ましくは、キャビネットの底面には、少なくともケーブルの径よりも深い第２の凹部が設けられ、第２の状態は、さらにケーブルをキャビネットの底面に設けられた第２の凹部に格納した状態である。
【００１１】
より好ましくは、第２の凹部には、ケーブルを把持し、第２の凹部への格納状態を維持するための把持部が設けられる。
【００１２】
好ましくは、キャビネットのケーブルが外部に向けて延伸する方向に向く面の底面との境界位置に、ケーブルが延在可能な孔が設けられる。
【００１３】
本発明の他の局面に従うと、通信機器は、通信装置および制御装置を格納するためのキャビネットと、キャビネットの外面を経て外部へ延伸し、環境値の測定用のセンサを制御装置に電気的に接続するためのケーブルと、ケーブルを変位させるための変位装置とを備える。変位装置によってケーブルを変位することで、センサのキャビネットに対する位置を、キャビネットの外面から外部方向に離れた位置である第１の状態と、キャビネットに対して第１の状態よりも近い位置である第２の状態とに切り替え可能である。
【００１４】
好ましくは、通信機器はキャビネットの外面に設けられたディスプレイをさらに備え、制御装置は、第１の状態のときにはセンサで測定された環境値をディスプレイに表示し、第２の状態のときにはディスプレイでの環境値の表示を行なわない。
【００１５】
好ましくは、ケーブルは、キャビネットの通信用のケーブルが伸びる面と同じ面から外部に向けて延伸する。
【発明の効果】
【００１６】
この発明によると、発熱し得る構成をキャビネット内部に有した通信機器において、コンパクト性、デザイン性と、外部の環境値の正確な測定とを両立することができる。
【図面の簡単な説明】
【００１７】
【図１】実施の一形態にかかる電話機の概略正面図である。
【図２】実施の一形態にかかる電話機の概略側面図である。
【図３】実施の一形態にかかる電話機の概略背面図である。
【図４】実施の一形態にかかる電話機の概略底面図である。
【図５】第１の状態と第２の状態との両状態でのケーブルを表わした図である。
【図６】第２の状態の電話機の概略側面図である。
【図７】第２の状態の電話機の概略上面図である。
【図８】第２の状態の電話機の概略底面図である。
【図９】図８の矢印Ａの位置における断面のうちの第１の凹部部分の概略図である。
【図１０】図８の矢印Ａの位置における断面のうちの第２の凹部部分の概略図である。
【図１１】実施の一形態にかかる電話機のハードウェア構成の概略を示すブロック図である。
【図１２】ディスプレイの具体例を示す図である。
【図１３】変形例にかかる電話機の概略背面図である。
【発明を実施するための形態】
【００１８】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１９】
＜構成の説明＞
図１〜図１０を用いて、本実施の一形態にかかる通信機器の構成を説明する。本実施の形態にかかる通信機器は、通信回路用および表示装置（ＬＥＤ（Light  Emitting  Diode）等）用のＣＰＵ（Central  Processing  Unit）を搭載し、そのＣＰＵが駆動することで発熱するものであれは、どのような通信機器であってもよい。以降の説明では、通信機器の一例としていわゆる卓上電話機について説明する。
【００２０】
図１は、電話機１の概略正面図である。図１を参照して、電話機１は通信装置２０（図１１）および制御装置１０（図１１）を格納するためのキャビネット２を有する。キャビネット２の正面にはディスプレイ３が配される。また、キャビネット２の正面には、図示しない子機を固定するためのクレードル部４が設けられる。
【００２１】
図２は電話機１の概略側面図であり、図３は概略背面図である。図２および図３を参照して、電話機１は、キャビネット２の背面から外面を経て外部に向けて延伸するケーブル５を有する。ケーブル５のキャビネット２背面から遠い側の先端には、センサ６Ａを覆うセンサヘッド６が取り付けられており、ケーブル５は、センサ６Ａを制御装置１０（図１１）に電気的に接続すると共に、センサ６Ａを内包したセンサヘッド６を支持する。
【００２２】
図３を参照して、キャビネット２の上面には、ユーザ操作を受け付けるためのボタン（またはボタン群）７が設けられる。受け付けるユーザ操作は、後述する、ディスプレイ３での表示の切り替えを指示する操作を含む。
【００２３】
図２および図３を参照して、キャビネット２の背面には、モジュラーケーブルが延在可能なケーブル孔２Ａと、ケーブル５が延在可能なケーブル孔２Ｂとが設けられる。好ましくは、これらケーブル孔２Ａ，２Ｂは、キャビネット２の背面の底面との境界位置に設けられる。なお、好ましくは、ケーブル孔２Ａ，２Ｂはキャビネット２の同じ面に設けられる。より好ましくは、これらケーブル孔２Ａ，２Ｂは、キャビネット２の正面からは視認されにくい面に設けられる。従って、必ずしもこれらケーブル孔２Ａ，２Ｂはキャビネット２の背面に設けられるものとは限らず、側面であってもよい。
【００２４】
図１〜３を参照して、キャビネット２の底面は平面であり、電話機１を机上などの平面に設置可能としている。その他、キャビネット２の背面や側面が平面であって、該面を壁面に接するようにして電話機１が壁面等に設置されてもよい。
【００２５】
好ましくは、図２を参照して、キャビネット２の正面と底面とは鋭角の角度をなす。これにより、ユーザの視点より低い位置に電話機１が設置された際に、該ユーザがディスプレイ３を正面から見やすくなる。
【００２６】
好ましくは、図２および図３を参照して、キャビネット２の上面は、背面側ほど底面の平行面からの下方向に角度が大きくなるように傾いている。これにより、ユーザの視点より低い位置に電話機１が設置された際に、該ユーザがキャビネット２の上面に設けられたボタン（またはボタン群）７を見やすくなる。
【００２７】
図４は、電話機１の概略底面図である。図４を参照して、キャビネット２の底面には、凹部８および凹部９が設けられる。第１の凹部である凹部８は、少なくともセンサヘッド６の径よりも深い。第２の凹部である凹部９は、少なくともケーブル５の径よりも深い。
【００２８】
なお、以降の説明では、凹部８，９がキャビネット２の底面に設けられるものとしているが、凹部８，９の設けられる位置はキャビネット２の底面に限定されず、正面から視認されない、または視認されにくい位置であればよい。たとえば、電話機１が背面を壁等に向けて設置する、いわゆる壁掛けタイプのものである場合、凹部８，９はキャビネット２の背面に設けられてもよい。
【００２９】
センサ６Ａは環境値を測定するためのセンサである。環境値は、温度、湿度、照度などが該当する。以降の説明では、センサ６Ａが、温度を測定するための温度センサであるものとする。
【００３０】
＜ケーブルの変形の説明＞
ケーブル５は、少なくとも人の手の力程度の力によって変形可能な材料で形成される。ケーブル５は、変形されることで、温度センサ６Ａのキャビネット２に対する位置を変えることができる。すなわち、ケーブル５が変形されることで、電話機１は第１の状態と第２の状態とを採り得る。図５は、第１の状態（５−１）と第２の状態（５−２）との両状態でのケーブル５を表わした図である。
【００３１】
第１の状態は、温度センサ６Ａのキャビネット２に対する位置がキャビネット２の外面から外部方向に離れた位置である状態であって、たとえば、図５に示されたように、温度センサ６Ａがキャビネット２の外にある状態である。第２の状態は、温度センサ６Ａのキャビネット２に対する位置がキャビネット２に対して上記第１の状態よりも近い位置にある状態であって、たとえば、図５に示されたように、温度センサ６Ａがキャビネット２底面の凹部９に格納された状態である。
【００３２】
図１〜図４は、第１の状態での電話機１の概略正面図、概略側面図、概略上面図、および概略底面図である。なお、図６〜図８は、第２の状態での電話機１の概略側面図、概略上面図、および概略底面図である。図６および図７を参照して、第２の状態では、電話機１の側方および上方のいずれからもケーブル５およびセンサヘッド６は視認されずに、キャビネット２の背面に設けられたケーブル５が延在可能なケーブル孔２Ｂが電話機の側面および背面側から視認される。
【００３３】
図８を参照して、第２の状態では、ケーブル５は第２の凹部である凹部９に格納され、センサヘッド６は第１の凹部である凹部８に格納される。
【００３４】
図９は、図８の矢印Ａの位置における断面のうちの第１の凹部である凹部８部分の概略図であり、図１０は、第２の凹部である凹部９部分の概略図である。図９を参照して、第１の凹部である凹部８は、上記のようにセンサヘッド６の径よりも深い。そのため、センサヘッド６は凹部８に格納された状態でキャビネット２の底面よりも外側には出ない。また、図１０を参照して、第２の凹部である凹部９は、上記のようにケーブル５の径よりも深い。そのため、ケーブル５は凹部９に格納された状態でキャビネット２の底面よりも外側には出ない。これにより、第２の状態においても、キャビネット２の底面を下面として、机上面などの平面上に電話機１を安定して設置することができる。
【００３５】
さらに図１０を参照して、好ましくは、凹部９のキャビネット２底面側には、ケーブル５を把持し、凹部９への格納状態を維持するための把持部９Ａが設けられる。これにより、第２の状態で電話機１が持ち上げられた場合においても、キャビネット２の底面からケーブル５が垂れ下がることがない。
【００３６】
なお、第２の状態では、必ずしもケーブル５およびセンサヘッド６のすべてがキャビネット２内に格納されていなくてもよく、少なくとも一部が格納されることで全体として正面から視認されない、または視認されにくい状態となればよい。たとえば、キャビネット２内にケーブル５の巻き取り装置が設けられ、第２の状態では、該巻き取り装置がケーブル５を巻き取った状態でもよい。このとき、キャビネット２の外部にセンサヘッド６のみ、またはセンサヘッド６とケーブル５の一部のみが出、残りのケーブル５が巻き取られてキャビネット２内に格納された状態となる。
【００３７】
また、第２の状態はケーブル５およびセンサヘッド６がキャビネット２内に格納される状態に限定されず、正面から視認されない、または視認されにくい状態であればよい。たとえば、ケーブル５を変形することで、ケーブル５およびセンサヘッド６をキャビネット２の外部であって背面にできるだけ近い位置に近づけるようにしてもよい。
【００３８】
＜ハードウェア構成の説明＞
図１１は、電話機１のハードウェア構成の概略を示すブロック図である。図１１を参照して、電話機１は、キャビネット２内に格納された、電話機１全体を制御するための制御装置１０と、キャビネット２内に格納された、他の電話機と通信するための通信装置２０と、ディスプレイ３と、ボタン７と、温度センサ６Ａとを含む。これらは、制御装置１０に電気的に接続されている。好ましくは、電話機１は、第１の状態であるか第２の状態であるかを検出するための状態センサ６Ｂをさらに含む。状態センサ６Ｂは、たとえば、凹部８および／または凹部９に設けられた、センサヘッド６および／またはケーブル５の接触を検出するためのセンサが該当し、電気的、電磁的、または物理的に検出するものであってよい。状態センサ６Ｂは、少なくとも一方の状態（たとえば第２の状態）を検出すればよい。
【００３９】
図１２は、ディスプレイ３の具体例を示す図である。図１２を参照して、ディスプレイ３は、「１」〜「９」までの数字を表示可能な７セグメントを少なくとも３つ、および「１」を表示可能な２セグメントを少なくとも１つ含む。さらに、ディスプレイ３は、時刻表示の際に午前、午後を示すための「ＡＭ／ＰＭ」表示と、温度表示の際に単位を示すための「℃」表示とを含む。
【００４０】
ディスプレイ３は制御装置１０に電気的に接続され、その表示は制御装置１０からの制御信号によって制御される。すなわち、制御装置１０は、７セグメントおよび２セグメントを用いた数字の表示を制御する。さらに、制御装置１０は、「ＡＭ／ＰＭ」表示と「℃」表示とを切り替えて、いずれか一方をディスプレイ３に表示された状態とするよう制御する。
【００４１】
制御装置１０は、表示モードとして、時刻を表示するモードと、環境値である温度を表示するモードとを有する。制御装置１０は、前者のモードのときには、図示しない計時装置から時刻情報を得、時刻情報に基づく時刻を７セグメントおよび２セグメントを用いて表示すると共に、「ＡＭ／ＰＭ」が表示されて「℃」が表示されないようにする。また、後者のモードのときには、制御装置１０は、温度センサ６Ａからのセンサ信号から温度を特定し、その温度を７セグメントおよび２セグメント（いずれか一方でもよい）を用いて表示すると共に、「℃」が表示されて「ＡＭ／ＰＭ」が表示されないようにする。
【００４２】
制御装置１０は、ボタン（またはボタン群）７で受け付けたユーザ操作に従って表示モードを切り替える。一例として、特定のボタンを押すと、時刻を表示するモードと温度を表示するモードとが順に切り替わるように構成されてよい。この場合、制御装置１０は、現在の表示モードを記憶しておき、ボタン（またはボタン群）７から該特定のボタンが押されたことを表わす操作信号が入力されるごとに、表示モードを他方の表示モードに切り替えるようにすればよい。
【００４３】
他の例として、制御装置１０は、状態センサ６Ｂから入力されるセンサ信号に基づいて第１の状態であるか第２の状態であるかを特定し、その結果に応じて表示モードを決定してもよい。そして、その結果に応じて、制御装置１０は、ディスプレイ３の表示を自動的に切り換えてもよい。
【００４４】
すなわち、制御装置１０は、センサヘッド６および／またはケーブル５が凹部８および／または凹部９に格納されている状態であることを表わすセンサ信号が状態センサ６Ｂから入力されると第２の状態であると特定し、表示モードを、時刻を表示するモードと決定する。センサヘッド６および／またはケーブル５が凹部８および／または凹部９に格納されている状態であることを表わすセンサ信号が状態センサ６Ｂから入力されていないときには、制御装置１０は第１の状態であると特定し、表示モードを温度を表示するモードと決定する。
【００４５】
＜実施の形態の効果＞
電話機１で例示された本実施の形態にかかる通信機器は、上記構成であることによって第１の状態と第２の状態とを切り替えることができる。この切り替えは、ケーブル５が少なくとも人の手の力程度の力によって変形可能な材料で形成されることから、容易に人の手の力で行なうことができる。それ故、ユーザは、容易に自身の手の力で、室温などの環境値を測定する際にはケーブル５およびセンサヘッド６をキャビネット２内から引き出すなどして第２の状態とし、測定しないときにはケーブル５およびセンサヘッド６をキャビネット２内に納めて第１の状態とすることができる。これにより、本実施の形態にかかる通信機器は、環境値の測定時にはセンサ６Ａを上記の第１の状態、すなわち、キャビネット２の外面から外部方向に離れた位置とすることで、室内の環境値を正確に測定することができる。また、本実施の形態にかかる通信機器は、環境値を測定していないときにはケーブル５およびセンサヘッド６を上記の第２の状態、すなわち、キャビネット２に対して上記第１の状態よりも近い位置とすることで、測定時以外にはケーブル５およびセンサヘッド６が正面から視認されない、またはし難い状態とすることができ、通信機器のコンパクト性やデザイン性を損なうことがない。従って、本実施の形態にかかる通信機器は、コンパクト性やデザイン性と、外部の環境値の正確な測定とを両立することができる。
【００４６】
さらに、本実施の形態にかかる通信機器は、環境値の測定時にユーザ操作によって、または自動的にディスプレイの表示モードを環境値を表示するモードとし、環境値を測定していないときには時刻を表示するモードとする。それ故、センサ６Ａがキャビネット２内などキャビネット２に対して近い位置にあるときにその位置での測定値が表示されないようにすることができる。これにより、本実施の形態にかかる通信機器は、正確に測定された環境値を表示することができる。
【００４７】
＜変形例１＞
上の説明では、ケーブル５が少なくとも人の手の力程度の力によって変形可能な材料で形成され、変形することで電話機１を第１の状態と第２の状態とに切り替え可能であるものとしている。第１の状態と第２の状態との切り替えはケーブル５の変形に限定するものではなく、変形を伴わずに変位させることで行なわれてもよい。
【００４８】
図１３は、本実施の形態にかかる通信機器の変形例を表わした図であって、変形例にかかる電話機１の概略背面図である。図１３を参照して、変形例にかかる電話機１では、ケーブル５はセンサ６Ａと制御装置１０とを電気的に接続すると共に、センサ６Ａを内包したセンサヘッド６を支持する。ケーブル５は図示しない子機との間の無線通信用のアンテナを兼用してもよい。好ましくは、ケーブル５は、センサ６Ａを内包したセンサヘッド６をキャビネット２の上面よりも高い位置に支持する。これにより、キャビネット２外部の環境値を正確に測定することが可能になる。
【００４９】
ケーブル５のキャビネット２外面からセンサヘッド６までの間に、ケーブル５を変位させるための変位装置５Ａが設けられる。変位装置５Ａの一例はヒンジであり、開閉ヒンジや回転ヒンジであってよい。
【００５０】
変位装置５Ａによってケーブル５を変位することで、変形例にかかる電話機１は、センサ６Ａをキャビネット２の外面から外部方向に離れた位置とした第１の状態と、センサ６Ａを上記第１の状態よりもキャビネット２に近い位置とした第２の状態とを切り替え可能である。図１３の例では、ケーブル５のキャビネット２に接する位置に開閉ヒンジである変位装置５Ａが設けられている。変位装置５Ａによってケーブル５がキャビネット２背面に沿って縦方向と横方向との間で変位する（図１３の両側矢印）。ケーブル５がこのように変位することで、図１３で実線で表わされた、センサ６Ａがキャビネット２の上面よりも高く支持されている第１の状態と、図１３で点線で表わされた、センサ６Ａがキャビネット２背面に沿う位置で低く支持されている第２の状態とが切り替えられる。
【００５１】
このように構成されることでも、本実施の形態にかかる通信機器は、環境値の測定時には第１の状態、環境値を測定していないときには第２の状態として、コンパクト性やデザイン性と、外部の環境値の正確な測定とを両立することができる。
【００５２】
＜まとめ＞
本発明の局面は、次のように表わすことができる。
【００５３】
（１）
底面が平面である、通信装置（通信装置２０）および制御装置（制御装置１０）を格納するためのキャビネット（キャビネット２）と、
キャビネットの外面を経て外部へ延伸し、環境値の測定用のセンサ（センサ６Ａ）を制御装置に電気的に接続するためのケーブル（ケーブル５）とを備え、
ケーブルは折り曲げられることでセンサのキャビネットに対する位置を、キャビネットの外面から外部方向に離れた位置である第１の状態と、キャビネットに対して第１の状態よりも近い位置である第２の状態とに切り替え可能である、通信機器。
【００５４】
（１）にかかる通信機器は、コンパクト性やデザイン性と、外部の環境値の正確な測定とを両立することができる。
【００５５】
（２）
キャビネットの底面には、少なくともセンサを覆うセンサヘッド（センサヘッド６）の径よりも深い第１の凹部（凹部８）が設けられ、
第２の状態は、センサヘッドをキャビネットの底面に設けられた第１の凹部に格納した状態である、（１）に記載の通信機器。
【００５６】
（２）にかかる通信機器は、特にコンパクト性やデザイン性を損なうことがない。
（３）
キャビネットの底面には、少なくともケーブルの径よりも深い第２の凹部（凹部９）が設けられ、第２の状態は、さらにケーブルをキャビネットの底面に設けられた第２の凹部に格納した状態である、（２）に記載の通信機器。
【００５７】
（３）にかかる通信機器は、特にコンパクト性やデザイン性を損なうことがない。
（４）
第２の凹部には、ケーブルを把持し、第２の凹部への格納状態を維持するための把持部（把持部９Ａ）が設けられる、（３）に記載の通信機器。
【００５８】
（４）にかかる通信機器は、特にコンパクト性やデザイン性を損なうことがない。
（５）
キャビネットのケーブルが外部に向けて延伸する方向に向く面の底面との境界位置に、ケーブルが延在可能な孔（ケーブル孔２Ｂ）が設けられる、（３）または（４）に記載の通信機器。
【００５９】
（５）にかかる通信機器は、コンパクト性やデザイン性と、外部の環境値の正確な測定とを両立することができる。
【００６０】
（６）
通信装置（通信装置２０）および制御装置（制御装置１０）を格納するためのキャビネット（キャビネット２）と、
キャビネットの外面を経て外部へ延伸し、環境値の測定用のセンサを制御装置に電気的に接続するためのケーブル（ケーブル５）と、
ケーブルを変位させるための変位装置（変位装置５Ａ）とを備え、
変位装置によってケーブルを変位することで、センサのキャビネットに対する位置を、キャビネットの外面から外部方向に離れた位置である第１の状態と、キャビネットに対して第１の状態よりも近い位置である第２の状態とに切り替え可能である、通信機器。
【００６１】
（６）にかかる通信機器は、コンパクト性やデザイン性と、外部の環境値の正確な測定とを両立することができる。
【００６２】
（７）
キャビネットの外面に設けられたディスプレイ（ディスプレイ３）をさらに備え、
制御装置は、第１の状態のときにはセンサで測定された環境値をディスプレイに表示し、第２の状態のときにはディスプレイでの環境値の表示を行なわない、（１）〜（６）のいずれかに記載の通信機器。
【００６３】
（７）にかかる通信機器は、特に外部の環境値の正確な測定および表示を実現することができる。
【００６４】
（８）
ケーブルはキャビネットの、通信用のケーブルが伸びる面と同じ面から外部に向けて延伸する、（１）〜（７）のいずれかに記載の通信機器。
【００６５】
（８）にかかる通信機器は、特にコンパクト性やデザイン性を損なうことがない。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  電話機、２  キャビネット、２Ａ，２Ｂ  ケーブル孔、３  ディスプレイ、４  クレードル部、５  ケーブル、５Ａ  変位装置、６  センサヘッド、６Ａ  温度センサ，センサ、６Ｂ  状態センサ、７  ボタン、８，９  凹部、９Ａ  把持部、１０  制御装置、２０  通信装置。
【図１】
2015008386.tif 000003
【図２】
2015008386.tif 000004
【図３】
2015008386.tif 000005
【図４】
2015008386.tif 000006
【図５】
2015008386.tif 000007
【図６】
2015008386.tif 000008
【図７】
2015008386.tif 000009
【図８】
2015008386.tif 000010
【図９】
2015008386.tif 000011
【図１０】
2015008386.tif 000012
【図１１】
2015008386.tif 000013
【図１２】
2015008386.tif 000014
【図１３】
2015008386.tif 000015